(57)【要約】【課題】水中で細かく振動して魚の興味を引き立てるルアーを提供する。【解決手段】このルアーは、弾性を有する合成樹脂からなるルアー本体１と、ルアー本体１の頭側半身において腹部に収納された錘３と、ルアー本体１の頭側半身において背部側稜線と腹部側稜線とを貫通し且つ錘３を貫通しているワイヤ２とを備えている。【選択図】      図１
2004154040.tif 000002
【特許請求の範囲】
【請求項１】
外形を魚に似せて形成したルアーであって、
弾性を有する合成樹脂からなるルアー本体と、
前記ルアー本体の頭部及び／又は腹部の頭部側に収納された錘と、
前記ルアー本体の長手方向に於ける頭側半身において背部側稜線と腹部側稜線とを貫通し且つ前記錘を貫通しているワイヤとを備え、
前記ルアー本体の背部側から突出している前記ワイヤの一部が釣糸連結部であり、前記ルアー本体の腹部側から突出している前記ワイヤの一部が釣針連結部であるルアー。
【請求項２】
前記ルアー本体を形成する合成樹脂の硬度はＨｓ５０以下である、請求項１に記載のルアー。
【請求項３】
前記ルアー本体はその最大幅が最大高さの１／２以下に設定され、高さ方向中央付近が幅広で背部側・腹部側にかけて幅狭となる断面流線形状である、請求項１又は２に記載のルアー。
【発明の詳細な説明】
【０００１】
【発明の属する技術分野】
本発明はルアー、特に、弾性を有する合成樹脂材からなり小魚等に外形を似せて形成されたルアーに関する。
【０００２】
【従来の技術】
従来の弾性を有する合成樹脂（例えば、塩化ビニル等）からなる本体部を有するソフトルアーは、例えば、小魚やミミズ，ザリガニ等の小動物に外形を似せて形成されている。そして、釣糸の先端に連結された釣針にこのようなソフトルアーを取り付け、さらに釣糸に錘などを取り付けて釣りを行う。この種のソフトルアーは、弾力性のあるルアー本体が水中でまるで生き餌の様に漂って、魚をおびき寄せるものである。
【０００３】
【発明が解決しようとする課題】
このように、従来のソフトルアーは水中で尾部をたなびかせて生き餌のように泳動するものであるが、あくまでも生き餌のように漂うという点が重視されてきたに過ぎない。しかし、魚に対するアピール要素は、単に泳動態様のみではなく、水中に伝播する細かい振動等も関与することが解ってきている。従来のソフトルアーはルアーを釣針に生き餌のように差し込んで用いるものであり、ルアー本体を釣針が長手方向に貫通している。このため、ルアー本体自体が細かい振動を起こすことは全く予定されておらず、また、実際にこのような細かい振動を生じるようなものではない。
【０００４】
本発明は、細かい振動を生じながら生き餌のように柔らかに水中を泳動する新規なルアーを提供するものである。
【０００５】
【課題を解決するための手段】
発明１のルアーは、外形を魚に似せて形成したルアーであって、弾性を有する合成樹脂からなるルアー本体と、ルアー本体の頭部及び／又は腹部の頭部側に収納された錘と、ルアー本体の長手方向に於ける頭側半身において背部側稜線と腹部側稜線とを貫通し且つ錘を貫通しているワイヤとを備えている。そして、ルアー本体の背部側から突出しているワイヤの一部が釣糸連結部であり、ルアー本体の腹部側から突出している前記ワイヤの一部が釣針連結部である。
【０００６】
このルアーでは、背部側に突出しているワイヤの一部に釣糸を係止し、腹部側に突出しているワイヤの一部に釣針を連結して用いられる。水中にキャスティングされたこのルアーをリトリーブすると、このルアーはワイヤの背部側方向を泳動方向として水中を泳動する。この際に、ルアー本体の頭部及び／又は腹部に収納されワイヤに貫通されている錘が、ルアー本体の頭部側を水底方向に傾けた状態でのルアーの泳動姿勢を安定させている。そして、ルアー本体が背側の稜線から水を切り、腹部側で乱流を生じさせ、ルアー本体の体部付近を左右方向に交互に細かく傾けながら振動する。そして、その振動が尾部にも伝達し尾部をも振りながら泳動して魚に強くアピールする。さらに、このルアー本体の振動が水中に伝播して魚の興味を引き立てる。
【０００７】
また、釣糸連結部と釣針連結部がワイヤの一部であって、釣針に魚がかかり大きな力が釣針に加わっても、ルアー本体自体は破損しない。さらに、水流方向に釣糸と釣針とが並び、水流の不当な乱れを抑制してルアー本体の振動を円滑なものとしている。
発明２のルアーは、発明１のルアーであって、ルアー本体を形成する合成樹脂の硬度はＨｓ５０以下である。
【０００８】
水中でこのルアーをリトリーブして背側の稜線で水を切ると、ルアー本体、特に、その体部が水流により振動するが、この際、過度にルアー本体の弾性が大きく柔らかいとルアー本体自体が振動を吸収してしまう。また、ルアー本体の振動が良好に尾部にまでつたわりにくい。一方、過度に弾性が小さく硬いとなだらかな泳動を演出できない。
【０００９】
発明３のルアーは、発明１又は２のルアーであって、ルアー本体はその最大幅が最大高さの１／２以下に設定され、高さ方向中央付近が幅広で背部側・腹部側にかけて幅狭となる断面流線形状である。
このルアーでは、ルアー本体の背部側稜線を進行方向として水中を泳動し、背部側稜線から水流を切ってルアー本体が振動する。
【００１０】
【発明の実施の形態】
［第１実施形態］
以下、本発明の１つの実施形態について図面を参照しつつ説明する。
図１〜３に示すように、本発明の１つの実施形態を採用したルアーは、外形を小魚に似せて形成した弾性を有する合成樹脂製のルアー本体１と、ルアー本体１の腹部に収納された錘３と、ルアー本体１の長手方向に於ける頭側半身において背部側から腹部側に貫通しているワイヤ２とを有している。
【００１１】
ルアー本体１は、ウレタンゴム等の弾性を有する合成樹脂からなる幅狭の部材である。このウレタンゴムの硬度はＨｓ３０〜５０程度である。ルアー本体１全体の大きさは用途に応じて任意に設定可能であり、外形を魚に似せる為に各部分に応じてその幅や高さは変化する。魚の腹部付近が最大高さ且つ最大幅を有し、尾部側ほぼ幅狭となるように設定するのが好ましい。特に、このルアー本体１はその最大幅が最大高さの１／２以下になるように設定する。例えば、長手方向長さを１００〜１５０ｍｍ程度に設定した場合であれば、最大高さ（腹部付近若しくは尾の後端位置になる）は２０〜３０ｍｍ程度とする。一方、このルアー本体１は、図２に示すように、高さ方向中央付近で最も幅広となり背部・腹部側で幅狭となる断面流線型であるが、最大幅（長手方向に於いては腹部付近になる）を８〜１２ｍｍ程度となるように設定する。なお、ルアー本体１の表面には魚の外形に似せるために様々な塗装、例えば、魚の目や鱗模様等を施してもよい。
【００１２】
金属ワイヤ２は、図３に詳しく示すように、細長楕円環状に形成されている。金属素材としては周知の金属、例えば、スチール，ステンレスなどを用いることができるが、超弾性を有する形状記憶合金などを用いることも可能である。そして、この金属ワイヤ２はルアー本体１の頭側半身において背部側稜線と腹部側稜線とを貫通しており、ルアー本体１内においては錘３をも貫通している。このルアー本体１の背部側から突出しているワイヤ２の一部が釣糸連結部２ａとなり、ルアー本体１の腹部側から突出しているワイヤ２の一部が釣針連結部２ｂとなる。そして、釣針連結部２ｂにはスプリットリング４を介して釣針５が連結されることになる。
【００１３】
錘３は比重の大きい鉛やタングステンなどの合金若しくは比重の大きい金属粉末を混入した合成樹脂等から構成される。金属ワイヤ２を配置した型内で鋳造する等の方法によって金属ワイヤ２が貫通した状態に形成されている。そして、この金属ワイヤ２及び錘３がルアー本体１の合成樹脂内に収納された状態で、例えば、インジェクション成形等によってルアーが製造されることになる。
【００１４】
このようなルアーは、図１に示すように、背部側に突出しているワイヤ２の一部である釣糸連結部２ａに釣糸Ｌを係止し、腹部側に突出しているワイヤ２の一部である釣針連結部２ｂに釣針を連結して用いる。水中にキャスティングされたこのルアーをリトリーブすると、図４に示すように、このルアーはワイヤ２の背部側方向を泳動方向とし、頭部側を下げた水底に対して斜めに傾いた姿勢で水中を泳動する。この際に、ルアー本体１の腹部側に収納されワイヤ２に貫通されている錘３がルアー本体１の泳動姿勢を安定させている。
【００１５】
この状態において、ルアー本体１が背側の稜線から水を切り、体部を中心にルアー本体１を左右に交互に傾けながら振動して泳動する（図５参照）。そして、この振動はルアー本体１の尾部側にまで良好に伝達され、尾部をもうねらせながらルアー本体１全体を振動させ、生魚のように水中を滑らかに泳動して魚の興味を引き立てる。さらに、このルアー本体１の振動を水中に伝播して魚の興味も引き立てる。
【００１６】
このようなルアー本体１のゴム硬度はＨｓ５０〜３０程度に設定されており、この範囲を超えてルアー本体１が柔らかくなり過ぎるとルアー本体１の弾性が弾性を吸収し、十分な振動を演出できない。一方で、過度にルアー本体１が硬いと柔軟な泳動を演出できず、破損し易くなる。また、魚が噛みついても違和感が少ない。さらに、釣糸連結部２ａと釣針連結２ｂがワイヤ２の一部であって、釣針５に魚がかかり大きな力が釣針５に加わっても、ルアー本体１自体は破損しない。
【００１７】
［第２実施形態］
以下、本発明の第２実施形態について図面を参照しつつ説明する。
図６及び７に示すように、本発明の第２実施形態を採用したルアーは、外形を小魚に似せて形成した弾性を有する合成樹脂製のルアー本体１１と、ルアー本体１１の頭部から腹部にかけてその内部に収納された錘１３と、ルアー本体１１の長手方向に於ける頭側半身において背部側から腹部側に貫通しているワイヤ１２とを有している。
【００１８】
このルアー本体１１は、第１実施形態と同様の、ウレタンゴム等の弾性を有する合成樹脂からなる部材である。ルアー本体１１全体の大きさは用途に応じて任意に設定可能であり、外形を魚に似せる為に各部分に応じてその幅や高さは変化する。即ち、高さ方向中央付近で最も幅広となり背部側・腹部側にかけて幅狭となる断面流線型である。
【００１９】
金属ワイヤ１２も第１実施形態と同様のものであり、この金属ワイヤ１２はルアー本体１１の頭側半身において背部側稜線と腹部側稜線とを貫通しており、ルアー本体１１内においては錘１３をも貫通している。この金属ワイヤ１２の背部側の突出位置と腹部側での突出位置とは、それぞれルアー本体１１の長手方向において中央より頭部側にあるが、特に、背部側の突出位置より腹部側の突出位置がより頭部側になるように傾いている。そして、このルアー本体１１の背部側から突出している金属ワイヤ１２の一部が釣糸連結部１２ａとなり、ルアー本体１１の腹部側から突出している金属ワイヤ１２の一部が釣針連結部１２ｂとなる。
【００２０】
錘１３は比重の大きい鉛やタングステンなどの合金若しくは比重の大きい金属粉末を混入した合成樹脂等から構成される。金属ワイヤ１２を配置した型内で鋳造する等の方法によって金属ワイヤ１２が貫通した状態に形成されている。この錘１３は、図７に詳しく示すように、錘１３はルアー本体１１の頭部全体をしめるようにその頭部形状に合致させて形成した部分と、この部分に連続してルアー本体１１の腹部側の稜線に沿って長手方向に伸びる部分とからなる。そして、この腹部側の稜線に沿って伸びる部分を金属ワイヤ１２が貫通している。
【００２１】
このように構成されたルアーも、第１実施形態と同様にして用いられる。即ち、背部側に突出しているワイヤ１２の一部である釣糸連結部１２ａに釣糸Ｌを係止し、腹部側に突出しているワイヤ１２の一部である釣針連結部１２ｂに釣針を連結して用いる。そして、水中にキャスティングされたこのルアーをリトリーブすると、このルアーはワイヤ１２の背部側方向を泳動方向とし、頭部側を下げた水底に対して斜めに傾いた姿勢で水中を泳動する。特に、この錘１３はルアー本体１１の頭部全体及び頭部から腹部にかけて配置されており、頭部側下方に重心が位置して頭部側を下方に傾けた状態でルアー本体１１は安定する。
【００２２】
この状態において、ルアー本体１１が背側の稜線から水を切り、特に、体部を中心にルアー本体１１全体を左右に交互に傾けて振動しながら泳動し、この振動はルアー本体１１の尾部側にまで良好に伝達される。そして、尾部をもうねらせながらルアー本体１全体を振動させ、且つ生魚のように水中を滑らかに泳動し、魚の興味を引き立てる。
【００２３】
［他の実施形態］
（ａ）ルアーの大きさ乃至形状は任意に設定可能であり、例えば、図８に示すようなものも例示できる。
【００２４】
【発明の効果】
本発明のルアーによれば、細かい振動を生じながら生き餌のように柔らかに水中を泳動し、魚の興味を引き立てることができる。
【図面の簡単な説明】
【図１】本発明の第１実施形態を採用したルアーの全体図。
【図２】図１のＩＩ−ＩＩ断面図。
【図３】図１のルアーの腹部付近の断面図。
【図４】図１のルアーの泳動姿勢を示した図。
【図５】図１のルアーの泳動状態を上方から示した図。
【図６】本発明の第２実施形態を採用したルアーの全体図。
【図７】図６のルアーの断面図。
【図８】本発明の他の実施形態を採用したルアーの全体図。
【符号の説明】
１，１１  ルアー本体
２，１２  ワイヤ
３，１３  錘
【図１】
2004154040.tif 000003
【図２】
2004154040.tif 000004
【図３】
2004154040.tif 000005
【図４】
2004154040.tif 000006
【図５】
2004154040.tif 000007
【図６】
2004154040.tif 000008
【図７】
2004154040.tif 000009
【図８】
2004154040.tif 000010